(57)【要約】新聞、ビデオ、マルチメディアデータ、電子テキストメッセージ、コンピュータゲーム、およびソフトウェアを、受信機対応コンピュータ（２０、１２０）、携帯電話、またはコンピュータ対応携帯電話など、多数の受信機（１８）に同時に地上配信または衛星支援配信をするシステムと方法。デジタルデータ（１０）は、携帯電話ネットワークの送信機（例えば、１４）を介して、または衛星または地上の送信機（１６）を介して、無線で放送される。データは、新奇なソフトウェアによって受信され（ステップ４０）、後で利用するためのコンピュータメモリに記憶される（ステップ４４）。新奇なソフトウェアは、コンピュータのデータ記憶媒体を管理し、不要なデータを削除して容量を保持することもできる。ソフトウェアによって記憶されたデータから興味深いコンテンツを検索できる。閲覧可能な転送率で伝送されるデータ放送、例えば、ビデオまたは他のデータをリアルタイムで表示し、および／または記憶することができる。【選択図】図１
2004510359.tif 000002
【特許請求の範囲】
【請求項１】
ａ）デジタル化された情報コンテンツを放送局から無線で放送する無線送信機と、
ｂ）送信機の範囲内にある多数の無線受信機と、
を有する、情報コンテンツを放送配信する放送型情報配信システムにおいて、
前記送信機が携帯電話送信機（１４）を含み、前記無線受信機がコンピュータ化された携帯電話（１８−２０、１２０）を含み、前記携帯電話（１８−２０、１２０）を前記放送局に関して初期設定する必要なくデジタル化された放送情報コンテンツを伝送時に同時に受信でき、各携帯電話（１８−２０、１２０）は受信された情報コンテンツをユーザに提供できることを特徴とする、放送型情報配信システム。
【請求項２】
前記配信された情報コンテンツが、見えるまたは聞こえるコンテンツか、または見えて聞こえるコンテンツを含み、前記携帯電話（１８−２０、１２０）は、受信された情報コンテンツがユーザに見えて聞こえるように表示および可聴化でき、前記情報コンテンツがマルチメディアデータ、テレビ、電子新聞、ビデオ、音声、コンピュータソフトウェア、コンピュータゲーム、または放送可能なデジタルデータ情報サービスを含むことを特徴とする、請求項１に記載のシステム。
【請求項３】
前記携帯電話（１８−２０、１２０）は、それぞれが前記受信された情報コンテンツを記憶して、前記受信された情報コンテンツを伝送時より後の時間にユーザに提供できる前記携帯電話（１８−２０、１２０）を含み、前記各携帯電話（１８−２０、１２０）は、ユーザが１つ以上の所望の放送を事前に選択し前記携帯電話（１８−２０、１２０）と機能的に関連付けられたメモリに記憶させるように制御することを可能にする制御ソフトウェアを備え、前記制御ソフトウェアは、選択された情報を前記ユーザが放送時間に不在の状態で記憶することを可能にすることを特徴とする、請求項２に記載のシステム。
【請求項４】
前記制御ソフトウェアは、放送が受信されるのに伴ってリアルタイムにユーザが、前記情報コンテンツを読む、または見る、または聞けるようにするか、または前記情報コンテンツを見て聞けるようにするか、またはコンピュータゲームをできるようにするか、または放送されたソフトウェアを使用できるようにし、前記マルチメディアコンテンツ、ゲーム、またはソフトウェアは、着信放送から受信されてユーザの携帯電話に提供されることを特徴とする、請求項３に記載のシステム。
【請求項５】
前記コンピュータ化された携帯電話（１８−２０、１２０）は、選択された複数の放送を１度に受信できるようになっているマルチチャネル型受信機をそれぞれが有する携帯電話（１８−２０、１２０）を含み、各携帯電話（１８−２０、１２０）は複数の放送を１度に記憶できることを特徴とする、請求項１、２、３、または４に記載のシステム。
【請求項６】
前記携帯電話（１８−２０、１２０）は、それぞれが、前記受信機対応コンピュータ（１８−２０、１２０）にデータ放送が受信されているのと同時に前記携帯電話を音声通話に利用できるように動作可能であることを特徴とする、請求項５に記載のシステム。
【請求項７】
前記マルチチャネル型携帯電話（１８−２０、１２０）は、データ放送を見ながら音声通話に利用できる携帯電話（１８−２０、１２０）を含み、前記データ放送はリアルタイムで受信されるか、またはメモリから入手されることを特徴とする、請求項５に記載のシステム。
【請求項８】
前記マルチチャネル型携帯電話（１８−２０、１２０）は、一方の放送を受信および記憶しながら他方の放送をユーザに見せることができる携帯電話（１８−２０、１２０）を含むことを特徴とする、請求項５に記載のシステム。
【請求項９】
前記携帯電話（１８−２０、１２０）は、複数パーツから成る折り畳み式の表示画面を有する携帯電話（１８−２０、１２０）を含み、前記画面は触れると感知するキーパッドを任意に備えることを特徴とする、請求項１、２、３、または４に記載のシステム。
【請求項１０】
前記折り畳み可能な画面は、前記携帯電話（１８−２０、１２０）の電池貯蔵エネルギーを生成する太陽電池パネルを有することを特徴とする、請求項９に記載のシステム。
【請求項１１】
前記携帯電話（１８−２０、１２０）は、前記受信マルチメディアデータの受信、表示、記憶、編集、管理、および検索を制御し、且つ、受信されたデータの存在を前記ユーザに知らせる通知と受信後の記憶装置からの前記受信放送マルチメディアの表示とを制御する制御ソフトウェアを備えた携帯電話（１８−２０、１２０）を含むことを特徴とする、請求項１、２、３、または４に記載のシステム。
【請求項１２】
前記制御ソフトウェアは、前記放送情報コンテンツを第１のデータ転送率で受信できるようにし、前記受信された情報コンテンツを前記第１のデータ転送率と異なる第２のデータ転送率で後で見ることを可能にすることを特徴とする、請求項１１に記載のシステム。
【請求項１３】
前記制御ソフトウェアは、記憶された情報コンテンツの興味深いコンテンツを、前記放送内に含まれているデジタルデータを使って、任意にキーワード、ワードグループ、音、声、画像認識、時間、または日付によって検索できることを特徴とする、請求項１１に記載のシステム。
【請求項１４】
前記制御ソフトウェアは、前記ユーザが前記受信され記憶された放送コンテンツうち、長期使用のために記憶されるべき部分を選択できるようにし、また、新たな着信放送情報コンテンツを受信および記憶するために再使用するメモリを割り当てることを可能にするメモリ管理を実行することを特徴とする、請求項１１に記載のシステム。
【請求項１５】
前記制御ソフトウェアは、選択された放送を受信し、前記受信された放送コンテンツを走査してユーザにとって興味深いものとして識別されるマルチメディアデータを探し、興味深いものとして識別されたコンテンツを後から回収して見るためにメモリに記憶することを可能にし、記憶され検索された不要な放送コンテンツの自動削除を可能にすることを特徴とする、請求項１４に記載のシステム。
【請求項１６】
ａ）デジタル化された情報コンテンツを放送局から無線で放送する無線送信機と、
ｂ）送信機の範囲内にある多数の無線受信機と、
を有する、情報コンテンツを放送配信する放送型情報配信システムにおいて、
前記送信機が携帯電話（１４）を含み、前記受信機が携帯電話（１４）からの携帯電話伝送を受信できる受信機対応コンピュータ（１８−２０、１２０）を含み、多数の前記受信機対応コンピュータ（１８−２０、１２０）は、前記受信機（１８）が前記放送局に関して初期設定する必要なく、デジタル化された放送情報コンテンツを伝送時にそれぞれが同時に受信でき、それぞれが前記受信された情報コンテンツをユーザに提供できることを特徴とすることを特徴とする、放送型情報配信システム
【請求項１７】
前記配信された情報コンテンツが見えるコンテンツを含み、前記受信機対応コンピュータ（１８−２０、１２０）が前記受信された情報コンテンツをユーザに見せることができることを特徴とする、請求項１６に記載のシステム。
【請求項１８】
前記配信された情報コンテンツが聞こえるコンテンツを含み、前記受信機対応コンピュータ（１８−２０、１２０）が前記受信された情報コンテンツをユーザに聞こえるように可聴化できることを特徴とする、請求項１６に記載のシステム。
【請求項１９】
前記受信機対応コンピュータ（１８−２０、１２０）は前記受信された情報コンテンツを記憶し、前記受信された情報コンテンツを伝送時より後にユーザに提供できることを特徴とする、請求項１７に記載のシステム。
【請求項２０】
前記受信機対応コンピュータ（１８−２０、１２０）が、コンピュータ対応携帯電話、任意にマルチチャネル型携帯電話を備えた受信機対応コンピュータ（１８−２０、１２０）を含み、前記配信された情報コンテンツが、見えるコンテンツまたは聞こえるコンテンツ含むか、または見えて聞こえるコンテンツを含み、前記携帯電話（１８−２０、１２０）は、前記受信された情報コンテンツをユーザが見えて聞こえるように表示および可聴化でき、前記情報コンテンツが、マルチメディアデータ、テレビ、電子新聞、ビデオ、音声、コンピュータソフトウェア、コンピュータゲーム、または放送可能なデジタルデータ情報サービスを含むことを特徴とする、請求項１６に記載のシステム。
【請求項２１】
前記受信機対応コンピュータ（１８−２０、１２０）が、コンピュータ対応携帯電話を備えた受信機対応コンピュータ（１８−２０、１２０）を含むことを特徴とする、請求項１６、１７、１８、または１９に記載のシステム。
【請求項２２】
前記受信機対応コンピュータ（１８−２０、１２０）が、マルチチャネル型のコンピュータ対応携帯電話を備えた受信機対応コンピュータ（１８−２０、１２０）を含むことを特徴とする、請求項１６、１７、１８、１９または２０に記載のシステム。
【請求項２３】
前記情報コンテンツがマルチメディアコンテンツであり、前記携帯電話はそれぞれがマルチメディアデータを記憶するのに十分なメモリを有することを特徴とする、請求項２１に記載のシステム。
【請求項２４】
前記受信機対応コンピュータ（１８−２０、１２０）は、それぞれに無線受信機が装備されたパーソナルコンピュータを含むことを特徴とする、請求項１６、１７、１８、または１９に記載のシステム。
【請求項２５】
衛星および地上の放送を含むことを特徴とする、請求項１６、１７、１８、１９または２０に記載のシステム。
【請求項２６】
前記送信機は携帯電話周波数で動作可能な送信機を含むことを特徴とする、請求項２５に記載のシステム。
【請求項２７】
前記送信機は非携帯電話周波数で動作可能な送信機を含むことを特徴とする、請求項１６に記載のシステム。
【請求項２８】
前記情報コンテンツがマルチメディアデータ、テレビ、電子新聞、ビデオ、音声、コンピュータソフトウェア、コンピュータゲーム、または他の放送可能なデジタルデータ情報サービスを含むことを特徴とする、請求項１６、１７、１８、または１９に記載のシステム。
【請求項２９】
前記受信機対応コンピュータ（１８−２０、１２０）は、受信機対応パーソナルコンピュータ、ラップトップ型コンピュータ、持ち運び型コンピュータ、パームコンピュータ、メモリおよび計算機を装備した携帯電話、または前述の装置のうちのいくつかまたは全部を含むことを特徴とする、請求項１６、１７、１８、または１９に記載のシステム。
【請求項３０】
前記受信機対応コンピュータ（１８−２０、１２０）は、ユーザが１つ以上の所望のマルチメディア放送を事前に選択し、その後、前記受信機対応コンピュータ（１８−２０、１２０）と機能的に関連付けられたメモリに前記マルチメディア放送を記憶させることを可能にする制御ソフトウェアを備えることを特徴とする、請求項２３に記載のシステム。
【請求項３１】
前記ソフトウェアの制御は、前記コンピュータユーザが前記選択された放送を前記ユーザが放送時間に不在の状態で記憶することを可能にすることを特徴とする、請求項３０に記載のシステム。
【請求項３２】
前記制御ソフトウェアは、前記受信マルチメディアデータの受信、表示、記憶、編集、管理、および検索を制御し、且つ、受信されたデータの存在を前記ユーザに知らせる通知と受信後の記憶装置からの前記受信放送マルチメディアの表示とを制御することを特徴とする、請求項３０に記載のシステム。
【請求項３３】
前記制御ソフトウェアは、前記放送情報コンテンツが第１のデータ転送率で受信されることを可能にし、前記受信情報コンテンツを前記第１のデータ転送率と異なる第２のデータ転送率で後から見られるようにすることを特徴とする、請求項３０に記載のシステム。
【請求項３４】
前記制御ソフトウェアは、記憶された情報コンテンツの興味深いコンテンツを、前記放送内に含まれているデジタルデータを使って、任意にコンテンツの概要、キーワード、ワードグループ、音、声、画像認識、時間、または日付によって検索できることを特徴とする、請求項３０に記載のシステム。
【請求項３５】
前記制御ソフトウェアは、前記ユーザが前記受信され記憶された放送コンテンツうち、長期使用のために記憶されるべき部分を選択できるようにし、また、新たな着信放送情報コンテンツを受信および記憶するために再使用するメモリを割り当てることを可能にするメモリ管理を実行することを特徴とする、請求項３０に記載のシステム。
【請求項３６】
前記制御ソフトウェアは、選択された放送を受信し、前記受信された放送コンテンツを走査してユーザにとって興味深いものとして識別されるマルチメディアデータを探し、興味深いものとして識別されたコンテンツを後から回収して見るためにメモリに記憶することを可能にし、記憶され検索された不要な放送コンテンツの自動削除を可能にすることを特徴とする、請求項３５に記載のシステム。
【請求項３７】
前記制御ソフトウェアは、放送が受信されるのに伴ってリアルタイムにユーザが、マルチメディアコンテンツを読む、見る、または聞けるようにするか、またはマルチメディアコンテンツを見て聞けるようにするか、またはコンピュータゲームをできるようにするか、または放送されたソフトウェアを使用できるようにし、前記マルチメディアコンテンツ、ゲーム、またはソフトウェアは、着信放送から受信されて前記ユーザの携帯電話または他の受信機対応コンピュータで提供されることを特徴とする、請求項３０に記載のシステム。
【請求項３８】
前記情報コンテンツがテレビを含み、前記受信機対応コンピュータ（１８−２０、１２０）は、前記ユーザが前記受信機対応コンピュータ（１８−２０、１２０）で前記テレビ放送を見るまたは聞けるようにするか、前記テレビ放送を見て聞けるようにする制御ソフトウェアを備えることを特徴とする、請求項１６、１７、１８、または１９に記載のシステム。
【請求項３９】
前記情報コンテンツは見えるデジタルデータ、任意にテレビ、を含み、前記受信機対応コンピュータ（１８−２０、１２０）は前記データが受信中に記憶され閲覧されることを可能にすることを特徴とする、請求項１６、１７、１８、または１９に記載のシステム。
【請求項４０】
前記受信機対応コンピュータ（１８−２０、１２０）は、選択された複数の放送を１度に受信できるようになっているマルチチャネル型受信機をそれぞれが有し、前記各受信機対応コンピュータ（１８−２０、１２０）は複数の放送を１度に記憶できることを特徴とする、請求項１６、１７、１８、１９または２０に記載のシステム。
【請求項４１】
前記受信機対応コンピュータ（１８−２０、１２０）は、それぞれが、前記受信機対応コンピュータ（１８−２０、１２０）にデータ放送が受信されているのと同時に前記携帯電話を音声通話に利用できるように動作可能であることを特徴とする、請求項２１に記載のシステム。
【請求項４２】
前記受信機対応コンピュータ（１８−２０、１２０）は、選択された複数の放送を１度に受信できるようになっており、複数の放送を１度に記憶でき、一方の放送を記憶しながら他方の放送をユーザに表示できるマルチチャネル型受信機をそれぞれが有する受信機対応コンピュータ（１８−２０、１２０）を含むことを特徴とする、請求項１６、１７、１８、１９または２０に記載のシステム。
【請求項４３】
前記受信機対応コンピュータ（１８−２０、１２０）は、選択された複数の放送を１度に受信できるようになっており、複数の放送を１度に記憶でき、一方の放送を記憶しながら他方の放送をユーザに表示できるマルチチャネル型携帯電話を備えることを特徴とする、請求項１６、１７、１８、１９または２０に記載のシステム。
【請求項４４】
前記受信機対応コンピュータ（１８−２０、１２０）は、ユーザが着信放送を受信中または見ている間に前記ユーザが携帯電話の通話を行うことを可能にする受信機対応コンピュータ（１８−２０、１２０）を含むことを特徴とする、請求項４１に記載のシステム。
【請求項４５】
前記受信機対応コンピュータ（１８−２０、１２０）は、折り畳み可能な表示画面をそれぞれが有する受信機対応コンピュータ（１８−２０、１２０）を含むことを特徴とする、請求項１６、１７、１８、または１９に記載のシステム。
【請求項４６】
前記折り畳み可能な表示画面は、前記受信機対応コンピュータ（１８−２０、１２０）の電池貯蔵エネルギーを生成する太陽電池パネルを有することを特徴とする、請求項４５に記載のシステム。
【請求項４７】
前記受信機対応コンピュータ（１８−２０、１２０）が携帯電話を備え、前記各携帯電話が複数パーツから成る折り畳み式画面を有することを特徴とする、請求項４５に記載のシステム。
【請求項４８】
前記折り畳み式画面は触れると感知するキーパッドを備えることを特徴とする、請求項４７に記載のシステム。
【請求項４９】
前記送信機がメッセージ情報、任意でＥメール、ボイスメール、またはページャメッセージ、を任意の受信機対応コンピュータ（１８−２０、１２０）に伝送することができ、前記メッセージ情報が前記任意の受信機対応コンピュータ（１８−２０、１２０）の認識コードに先導され、前記受信機対応コンピュータ（１８−２０、１２０）は、前記受信機対応コンピュータ（１８−２０、１２０）が前記認識コードを認識し、Ｅメール、ボイスメール、またはパーソナルメッセージを前記ユーザが受信できるようにするメッセージを受信することを可能にする制御ソフトウェアをそれぞれ備える受信機対応コンピュータ（１８−２０、１２０）を含むことを特徴とする、請求項１６、１７、１８、１９または２０に記載のシステム。
【請求項５０】
前記任意の受信機対応コンピュータ（１８−２０、１２０）における前記制御ソフトウェアは、前記メッセージ情報を記憶装置にダウンロードするように動作可能であり、暗号化されたメッセージを任意に解読でき、前記放送局は前記メッセージを、前記任意の受信機対応コンピュータ（１８−２０、１２０）からサービスプロバイダに提供されるアドレス位置の範囲内のセルだけに放送できることを特徴とする、請求項４９に記載のシステム。
【請求項５１】
前記任意の受信機対応コンピュータ（１８−２０、１２０）における前記制御ソフトウェアは、前記ユーザが外出中に前記コンピュータを持ち運んでいるときに、前記ユーザがネットワークに接続したりサービスプロバイダにダイヤルアップしたりする必要なく、前記ユーザがＥメール、ボイスメール、またはパーソナルメッセージを前記ユーザのコンピュータまたは携帯型コンピュータに直接受信できるように動作可能であることを特徴とする、請求項４９に記載のシステム。
【請求項５２】
マルチチャネル機能と、放送マルチメディアデータコンテンツを受信、管理、記憶、表示、および可聴化する機能と、を有することを特徴とする携帯電話。
【請求項５３】
複数パーツが折り畳み可能な画面を有することを特徴とする、請求項５２に記載の携帯電話。
【請求項５４】
コンピュータ対応携帯電話用の携帯電話制御ソフトウェアを記憶するコンピュータデータ記憶媒体において、前記携帯電話制御ソフトウェアが、携帯電話からのデジタル化マルチメディアコンテンツの無線放送の受信、記憶、表示、および可聴化を管理するように動作可能であることを特徴とする、コンピュータデータ記憶媒体。
【請求項５５】
前記制御ソフトウェアは、前記携帯電話がオン状態、待機状態、またはオフ状態のときに前記携帯電話を起動して前記放送マルチメディアコンテンツを受信および処理するように動作可能であることを特徴とする、請求項５４に記載のコンピュータデータ記憶媒体。
【請求項５６】
前記制御ソフトウェアは、受信されるべき放送の時間に基づいて前記携帯電話を起動し、ユーザ指定のマルチメディアコンテンツ放送を分かっている時間に分かっている無線帯域からメモリに記録し始めるようにコンピュータに命令するか、または所望の放送の最初に伝送される着信データパケットを検索するように動作可能であることを特徴とする、請求項５５に記載のコンピュータデータ記憶媒体。
【請求項５７】
前記制御ソフトウェアは、ユーザ選択のマルチメディア放送を受信できるようにする表示可能なメニューを含み、前記メニューは、任意にテレビ、電子新聞、ビデオ、音声、コンピュータソフトウェア、コンピュータゲーム、または放送可能なデジタルデータ情報サービスの選択を可能にし、前記制御ソフトウェアは、選択された放送を伝送時に記憶するように動作可能であることを特徴とする、請求項５４に記載のコンピュータデータ記憶媒体。
【請求項５８】
前記制御ソフトウェアは、着信放送から前記携帯電話ユーザにとって興味深いデータを検索して記憶し、記憶された不要な情報を削除するように動作可能であることを特徴とする、請求項５４に記載のコンピュータデータ記憶媒体。
【請求項５９】
ａ）デジタル化された情報コンテンツを無線送信機から無線で放送する放送局と、
ｂ）前記情報コンテンツを前記送信機の範囲内にある多数の無線受信機で受信する多数のユーザと、
を含む、情報コンテンツを放送局から多数のユーザに無線で配信する方法において、
前記送信機が携帯電話送信機（１４）を含み、前記受信機が前記携帯電話送信機（１４）からの携帯電話伝送を受信できる携帯電話（１８−２０、１２０）を含み、前記携帯電話（１８−２０、１２０）が前記放送局に関して初期設定せずに、デジタル化された放送情報コンテンツを同時に伝送時に受信することを特徴とする方法。
【請求項６０】
前記配信された情報コンテンツは、見えるまたは聞こえるコンテンツか、見えて聞こえるコンテンツであり、マルチメディアデータ、テレビ、電子新聞、ビデオ、音声、コンピュータソフトウェア、コンピュータゲーム、または放送可能なデジタルデータ情報サービスを含み、前記携帯電話（１８−２０、１２０）はコンピュータによって強化され、前記受信された情報コンテンツをユーザのために表示または可聴化するか、表示および可聴化することを特徴とする、請求項５９に記載の方法。
【請求項６１】
前記マルチメディアデータを前記送信機の使用頻度がより少ない夜間に放送し、前記携帯電話（１８−２０、１２０）は前記受信された情報コンテンツを記憶し、前記受信されたコンテンツを伝送時より後の時間にユーザに提供することを特徴とする、請求項５９に記載の方法。
【請求項６２】
前記放送情報コンテンツを、前記携帯電話（１８−２０、１２０）のデータ受信機能によって割り出される第１のデータ転送率で放送および受信し、前記受信された情報を前記第１のデータ転送率と異なる第２のデータ転送率で後で見ることを特徴とする、請求項５９に記載の方法。
【請求項６３】
前記情報コンテンツを前記携帯電話の前記受信転送率に適合する転送率で放送し、ユーザは、前記受信されたデータをメモリに記憶する必要なく前記情報コンテンツを放送中にリアルタイムで見ることを特徴とする、請求項５９、６０、６１、または６２に記載の方法。
【請求項６４】
前記携帯電話（１８−２０、１２０）がマルチチャネル型携帯電話（１８−２０、１２０）を含み、前記情報コンテンツがマルチチャネルで同時に放送および受信されることを特徴とする、請求項５９、６０、６１、または６２に記載の方法。
【請求項６５】
１つ以上の前記携帯電話（１８−２０、１２０）は、音声通話に利用される前記携帯電話（１８−２０、１２０）にデータ放送が受信されるのと同時に音声通話に利用されることを特徴とする、請求項６４に記載の方法。
【請求項６６】
前記ユーザは、前記放送が受信されるのに伴ってリアルタイムにマルチメディアコンテンツを読む、または見る、または聞くか、またはマルチメディアコンテンツを見て聞くか、またはコンピュータゲームをするか、または放送されたソフトウェアを使用し、前記マルチメディアコンテンツ、ゲーム、またはソフトウェアは、着信放送から受信されて前記ユーザの携帯電話または他の受信機対応コンピュータで提供されることを特徴とする、請求項６４に記載の方法。
【請求項６７】
前記放送が受信されるときに着信放送から受信される前記マルチメディアコンテンツ、ゲーム、またはソフトウェアを、携帯電話（１８−２０、１２０）のメモリに記憶することを特徴とする、請求項６６に記載の方法。
【請求項６８】
前記携帯電話（１８−２０、１２０）は、ユーザが前記携帯電話（１８−２０、１２０）に放送ストリームの中の選択された着信データ更新を受け入れるように命令することを可能にする制御ソフトウェアを使用する携帯電話（１８−２０、１２０）を含み、前記制御ソフトウェアは、前記受信されたデータ更新をコンピュータのメモリに記憶して後から使用し、前記更新はニュース発生時またはデータが利用可能になると受信および記憶され、前記所望の更新は、信号関係の特性、任意にデータパケットの認識、周波数帯、またはタイムスロット、によって識別されることを特徴とする、請求項５９、６０、６１、または６２に記載の方法。
【請求項６９】
前記携帯電話（１８−２０、１２０）は折り畳み式の表示画面を有する携帯電話（１８−２０、１２０）を含み、前記折り畳み式表示画面を広げ、前記広げられた画面で放送マルチメディアコンテンツを見ることを特徴とする、請求項５９、６０、６１、または６２に記載の方法。
【請求項７０】
前記携帯電話（１８−２０、１２０）は、前記ユーザが外出中で前記受信機対応コンピュータコンピュータ（１８−２０、１２０）を携帯しているときに、前記ユーザがネットワークに接続したりサービスプロバイダにダイヤルアップしたりする必要なく、放送コンテンツを受信すること特徴とする、請求項５９、６０、６１、または６２に記載の方法。
【請求項７１】
前記携帯電話（１８−２０、１２０）は、前記放送局と関係なく、または受信機モジュールを介して初期設定を行うことを特徴とする、請求項５９、６０、６１、または６２に記載の方法。
【請求項７２】
前記情報コンテンツを携帯電話の波長で放送することを特徴とする、請求項５９、６０、６１、または６２に記載の方法。
【請求項７３】
前記携帯電話（１８−２０、１２０）は、それぞれが、前記受信された情報コンテンツを記憶し、前記受信された情報コンテンツを伝送時より後の時間にユーザに提供でき、前記各携帯電話（１８−２０、１２０）毎に、前記ユーザは、前記携帯電話上で実行される、１つ以上の所望の放送を事前に選択し且つ前記携帯電話（１８−２０、１２０）と機能的に関連するメモリに記憶するのを制御する制御ソフトウェアを使用し、前記制御ソフトウェアは、前記放送の時間に前記ユーザが居合わせる必要なく選択放送の記憶を制御することを特徴とする、請求項５９、６０、６１、または６２に記載の方法。
【請求項７４】
前記ユーザは、前記放送が受信されるのに伴ってリアルタイムに前記情報コンテンツを読む、または見る、または聞くか、または前記情報コンテンツを見て聞くか、またはコンピュータゲームをするか、または放送されたソフトウェアを使用するために前記制御ソフトウェアを使用し、前記制御ソフトウェアは、着信放送から受信される前記情報コンテンツ、ゲーム、またはソフトウェアの受信と、前記情報コンテンツ、ゲーム、またはソフトウェアのユーザ携帯電話への提供とを制御することを特徴とする、請求項７３に記載の方法。
【請求項７５】
前記携帯電話（１８−２０、１２０）は、前記携帯電話上で実行される制御ソフトウェアを備えた携帯電話（１８−２０、１２０）を含み、前記携帯電話のユーザは、前記受信マルチメディアデータの受信、表示、記憶、編集、管理、および検索を制御し、且つ、受信された放送マルチメディアデータの存在を前記ユーザに知らせる通知と受信後の記憶装置からの前記受信放送マルチメディアデータの表示とを制御するために前記制御ソフトウェアを使用することを特徴とする、請求項５９、６０、６１、または６２に記載の方法。
【請求項７６】
前記制御ソフトウェアを実行して、前記放送情報コンテンツが第１のデータ転送率で受信されることを可能にし、前記受信された情報コンテンツを前記第１のデータ転送率と異なる第２のデータ転送率で後から見られるようにすることを特徴とする、請求項７５に記載の方法。
【請求項７７】
前記制御ソフトウェアを実行して、記憶された情報コンテンツの興味深いコンテンツを、任意にコンテンツの概要、キーワード、ワードグループ、音、声、画像認識、時間、または日付によって検索することを特徴とする、請求項７５に記載の方法。
【請求項７８】
メモリ管理のために前記制御ソフトウェアを実行して、前記ユーザが前記ソフトウェアを使用して、前記受信され記憶された放送コンテンツうち、長期使用のために記憶されるべき部分を選択し、また、新たな着信放送情報コンテンツを受信および記憶するために再使用するメモリを割り当てることを特徴とする、請求項７５に記載の方法。
【請求項７９】
前記制御ソフトウェアを実行して、選択された放送を受信し、前記受信された放送コンテンツを走査してユーザにとって興味深いものとして識別されるマルチメディアデータを探し、興味深いものとして識別されたコンテンツを後で回収して見るためにメモリに記憶し、記憶され検索された不要な放送コンテンツを自動削除できるようにすることを特徴とする、請求項７５に記載の方法。
【請求項８０】
前記情報コンテンツを１つ以上の地上の送信機から、および衛星中継で放送することを特徴とする、請求項５９、６０、６１、または６２に記載の方法。
【請求項８１】
前記情報コンテンツが、前記ユーザを付加的なデータリソースに自動的に誘導する埋込み型ダイナミックデータ、任意でハイパーリンク、を含むことを特徴とする、請求項５９、６０、６１、または６２に記載の方法。
【請求項８２】
前記情報コンテンツがビデオを含み、前記ビデオが埋込みハイパーリンクを有し、前記ハイパーリンクは前記ユーザが前記ビデオのコンテンツに関する付加的なデータリソースに自動的にアクセスできるようにすることを特徴とする、請求項５９、６０、６１、または６２に記載の方法。
【請求項８３】
ａ）デジタル化された情報コンテンツを無線送信機から無線で放送する放送局と、
ｂ）前記情報コンテンツを前記送信機の範囲内にある多数の無線受信機で受信する多数のユーザと、
を含む、情報コンテンツを放送局から多数のユーザに無線で配信する方法において、
前記送信機が携帯電話送信機（１４）を含み、前記受信機が前記携帯電話送信機（１４）からの携帯電話伝送を受信できる受信機対応コンピュータ（１８−２０、１２０）を含み、前記受信機（１８）が前記放送局に関して初期設定することなく、前記多数の受信機対応コンピュータ（１８−２０、１２０）がデジタル化された放送情報コンテンツを同時に伝送時に受信することを特徴とする方法。
【請求項８４】
前記受信機対応コンピュータ（１８−２０、１２０）は前記受信された情報コンテンツを記憶し、前記受信された情報コンテンツを伝送時より後にユーザに提供することを特徴とする、請求項８３に記載の方法。
【請求項８５】
前記配信された情報コンテンツが見えるコンテンツであり、前記受信機対応コンピュータ（１８−２０、１２０）は前記受信された情報コンテンツをユーザに見せるために表示することを特徴とする、請求項８４に記載の方法。
【請求項８６】
前記配信された情報コンテンツが聞こえるコンテンツであり、前記受信機対応コンピュータ（１８−２０、１２０）は前記受信された情報コンテンツをユーザに聞こえるように可聴化することを特徴とする、請求項８５に記載の方法。
【請求項８７】
前記受信機対応コンピュータ（１８−２０、１２０）は携帯電話を備えた受信機対応コンピュータ（１８−２０、１２０）を含み、前記配信された情報コンテンツは、見えるまたは聞こえるコンテンツか、見えて聞こえるコンテンツであり、マルチメディアデータ、テレビ、電子新聞、ビデオ、音声、コンピュータソフトウェア、コンピュータゲーム、または放送可能なデジタルデータ情報サービスを含むことを特徴とし、前記携帯電話（１８−２０、１２０）は、前記受信された情報コンテンツをユーザのために表示または可聴化するか、または表示および可聴化することを特徴とする、請求項８３に記載の方法。
【請求項８８】
前記受信機対応コンピュータ（１８−２０、１２０）が、携帯電話を備えた受信機対応コンピュータ（１８−２０、１２０）を含むことを特徴とする、請求項８３、８４、８５、または８６に記載の方法。
【請求項８９】
前記情報コンテンツを地上の送信機から、および衛星中継で放送することを特徴とする、請求項８３、８４、８５、８６または８７に記載の方法。
【請求項９０】
前記情報コンテンツがデジタル形式のマルチメディアデータを含むことを特徴とする、請求項８８に記載の方法。
【請求項９１】
前記情報コンテンツがデジタル形式のマルチメディアデータを含むことを特徴とする、請求項８３、８４、８５、または８６に記載の方法。
【請求項９２】
前記マルチメディアデータが、電子新聞、ビデオ、音声、マルチメディア、コンピュータソフトウェア、コンピュータゲーム、または他の放送可能なデジタルデータ情報サービスを含むことを特徴とする、請求項Ｍ６に記載の方法。
【請求項９３】
前記マルチメディアデータを送信機の使用頻度がより少ない夜間に放送することを特徴とする、請求項９１に記載の方法。
【請求項９４】
制御ソフトウェアを使用して、放送ストリームの中の選択された着信データ更新を受け入れて、受信されたデータ更新を後で使用するために前記コンピュータのメモリに記憶するようにに前記受信機対応コンピュータ（１８−２０、１２０）に命令し、それによって、新らたなニュースの発生時またはデータが利用可能になると更新が受信できることを特徴とする、請求項９１に記載の方法。
【請求項９５】
前記受信機が前記所望のデータ更新を信号関係の特性、任意にデータパケットの認識、周波数帯、またはタイムスロット、によって識別することを特徴とする請求項９４に記載の方法。
【請求項９６】
前記制御ソフトウェアを使用して、受信機対応コンピュータ（１８−２０、１２０）、任意でコンピュータ対応携帯電話、のユーザに、聞こえる音を発生するか、または見えるメッセージを表示して、前記受信機対応コンピュータ（１８−２０、１２０）が着信マルチメディアデータ放送を受信したことを前記ユーザに知らせることによって着信通知を行うことを特徴とする、請求項９１に記載の方法。
【請求項９７】
前記制御ソフトウェアを前記放送情報コンテンツの一部として放送することを特徴とする、請求項９４に記載の方法。
【請求項９８】
既存のマルチメディア放送サービスに対する更新を含むソフトウェアの放送を受信することを特徴とする、請求項９７に記載の方法。
【請求項９９】
前記放送情報コンテンツを第１のデータ転送率で受信し、前記受信された情報コンテンツを前記第１のデータ転送率と異なる第２のデータ転送率で後で見ることを特徴とする、請求項９１に記載の方法。
【請求項１００】
前記情報コンテンツを同時に多チャネルで放送することを特徴とする、請求項９１に記載の方法。
【請求項１０１】
前記受信機対応コンピュータ（１８−２０、１２０）が携帯電話を備え、前記ユーザは、前記マルチメディアコンテンツが前記携帯電話に受信されるのに伴って前記マルチメディアコンテンツを見るか、または見始めることを特徴とする、請求項９１に記載の方法。
【請求項１０２】
前記情報コンテンツを前記携帯電話の前記受信転送率に適合する転送率で放送し、ユーザは、前記受信されたデータをメモリに記憶する必要なく前記情報コンテンツを放送中にリアルタイムで見ることを特徴とする、請求項９０に記載の方法。
【請求項１０３】
前記情報コンテンツがビデオと、任意でテレビジョン信号とを含むことを特徴とする、請求項１０２に記載の方法。
【請求項１０４】
前記情報コンテンツを前記受信（１８−２０、１２０）の前記受信転送率に適合する転送率で放送し、ユーザは、前記受信されたデータをメモリに記憶する必要なく前記情報コンテンツを放送中にリアルタイムで見ることを特徴とする、請求項８３、８４、８５、８６または８７に記載の方法。
【請求項１０５】
前記情報コンテンツがビデオと、任意でテレビジョン信号とを含むことを特徴とする、請求項１０２に記載の方法。
【請求項１０６】
前記受信機対応コンピュータ（１８−２０、１２０）が携帯電話を備え、前記受信された情報コンテンツがマルチメディアデータを含み、前記データが前記携帯電話の前記データ受信転送率に適合する転送率で放送され、前記ユーザは前記放送が受信されるのに伴って前記受信されたコンテンツをリアルタイムで見ることを特徴とする、請求項８３に記載の方法。
【請求項１０７】
情報コンテンツの多数のマルチメディア放送を前記受信機対応コンピュータ（１８−２０、１２０）に同時に伝送し、前記受信機対応コンピュータ（１８−２０、１２０）が前記多数の放送の中から前記ユーザによって事前に選択された所望のものを識別してメモリに記憶することによって、放送時間が重複する放送を記憶できるようにしたことを特徴とする、請求項８３に記載の方法。
【請求項１０８】
前記受信機対応コンピュータ（１８−２０、１２０）が携帯電話を備えていることを特徴とする、請求項１０８に記載の方法。
【請求項１０９】
１つ以上の前記携帯電話を、前記受信機対応コンピュータ（１８−２０、１２０）によってデータ放送が受信されるのと同時に音声通話に利用することを特徴とする、請求項８８に記載の方法。
【請求項１１０】
前記ユーザは、前記放送が受信されるのに伴ってリアルタイムにマルチメディアコンテンツを読む、または見る、または聞くか、またはマルチメディアコンテンツを見て聞くか、またはコンピュータゲームをするか、または放送されたソフトウェアを使用し、前記マルチメディアコンテンツ、ゲーム、またはソフトウェアは、着信放送から受信されて前記ユーザの携帯電話または他の受信機対応コンピュータで提供されることを特徴とする、請求項９１に記載の方法。
【請求項１１１】
前記放送が受信されるときに着信放送から受信される前記マルチメディアコンテンツ、ゲーム、またはソフトウェアをコンピュータメモリに記憶することを特徴とする、請求項１１０に記載の方法。
【請求項１１２】
前記携帯電話の折り畳み式表示画面部を広げ、前記広げられた画面で放送マルチメディアコンテンツ、任意で電子新聞、を見ることを特徴とする、請求項８８に記載の方法。
【請求項１１３】
前記受信機対応コンピュータ（１８−２０、１２０）が持ち運び型コンピュータを含み、前記持ち運び型コンピュータは、放送ソフトウェアを強化したマルチメディアデータを前記持ち運び型コンピュータのメモリに受信し、前記ユーザは外出時に前記携帯電話を前記持ち運び型コンピュータと一緒に携帯し、前記ユーザは、記録されたニュース、ビデオ、新聞、エンターテイメント、および情報サービスに前記持ち運び型コンピュータからアクセスし、前記携帯電話を携帯しているときにそれらの放送が放送される通りに、テレビ放送を含むマルチメディア放送を見る、読む、または聞くことができることを特徴とする、請求項８３、８４、８５、８６または８７に記載のマルチメディア放送方法。
【請求項１１４】
任意の受信機対応コンピュータ（１８−２０、１２０）宛のメッセージ情報、任意でＥメール、ボイスメール、またはページャメッセージを放送し、前記メッセージ情報は前記任意の受信機対応コンピュータ（１８−２０、１２０）の認識コードに先導され、前記任意の受信機対応コンピュータ（１８−２０、１２０）が該受信機対応コンピュータ宛のＥメール、ボイスメール、またはパーソナルメッセージを受信することを特徴とする、請求項８３、８４、８５、８６または８７に記載の方法。
【請求項１１５】
前記携帯電話が内蔵コンピュータ機能を備え、放送ソフトウェアを強化したマルチメディアデータを受信し、ユーザが選択した放送を前記携帯電話コンピュータのメモリに受信し、前記ユーザは外出時に前記携帯電話をそれらと一緒に携帯し、前記ユーザは、記録されたニュース、ビデオ、新聞、エンターテイメント、および情報サービスに前記携帯電話からアクセスし、前記携帯電話を携帯しているときにそれらの放送が放送される通りに、テレビ放送を含むマルチメディア放送を見る、読む、または聞くことができることを特徴とする、請求項８８に記載のマルチメディア放送方法。
【請求項１１６】
任意の携帯電話宛のメッセージ情報、任意でビデオメッセージ、Ｅメール、ボイスメール、またはページャメッセージ、を放送し、前記メッセージは前記任意の携帯電話の認識コードに先導され、前記任意の携帯電話が該携帯電話宛のメッセージ、Ｅメール、ボイスメール、またはパーソナルメッセージを受信することを特徴とする、請求項８８に記載の方法。
【請求項１１７】
任意の受信機対応コンピュータ（１８−２０、１２０）における制御ソフトウェアが前記メッセージ情報をメモリにダウンロードし、任意で暗号化メッセージを復号することを特徴とする、請求項８８に記載の方法。
【請求項１１８】
前記ユーザが前記任意の受信機対応コンピュータ（１８−２０、１２０）のアドレス位置を前記放送局に提供し、前記放送局が、前記メッセージ情報の放送を、任意で前記アドレス位置の範囲内のセルだけに放送することによって、前記アドレス位置に送信することを特徴とする、請求項１１７に記載の方法。
【請求項１１９】
前記ユーザは、前記ユーザがネットワークに接続するか、またはサービスプロバイダに接続する必要なく、前記ユーザが外出中に前記コンピュータを持ち運んでいるときに前記ユーザのコンピュータまたは持ち運び型コンピュータに直接受信されるＥメール、ボイスメール、またはパーソナルメッセージを受信することを特徴とする、請求項１１８に記載の方法。
【請求項１２０】
特定のユーザ−受信者が受信機対応コンピュータ（１８−２０、１２０）を所有している地理的地域にメッセージを放送することによって、前記受信者に前記メッセージを伝送することを特徴とする、請求項８３、８４、８５、８６または８７に記載の方法。
【請求項１２１】
前記メッセージデータが符号化されることを特徴とする、請求項１２０に記載の方法。
【請求項１２２】
マルチメディアデータ放送内の前記データが、前記ユーザをウェブサイトまたは他のサービスに結び付けるハイパーリンクを含むことができることを特徴とする、請求項９１に記載の方法。
【請求項１２３】
前記受信されたマルチメディアデータ放送を前記受信機対応コンピュータ（１８−２０、１２０）の着脱可能なメモリ装置に記憶することを特徴とする、請求項９１に記載の方法。
【請求項１２４】
前記情報コンテンツをデータブロックのストリームとして伝送し、伝送された前記各データブロックを識別するリストを伝送することを特徴とする、請求項８８に記載の方法。
【請求項１２５】
置換データブロックを伝送し、前記受信機対応コンピュータ（１８−２０、１２０）のメモリに受信された置換ブロックを既に送信されている適切なデータと置き換えることを特徴とする、請求項１２４に記載の方法。
【請求項１２６】
データブロックの再伝送を要求する選択権をユーザに与え、データブロックの再伝送を求める最小件数のユーザ要求が受信されるとデータブロックを伝送し、前記最小件数は前記電子配信システムの利用可能帯域によって決まることを特徴とする、請求項１２５に記載の方法。
【請求項１２７】
前記受信機対応コンピュータ（１８−２０、１２０）は、データが満足に受信されていることを確認するために定期的に照会されることを特徴とする、請求項８８に記載の方法。
【請求項１２８】
前記受信機対応コンピュータ（１８−２０、１２０）で作動する制御ソフトウェアは、ユーザの前記受信コンテンツへのアクセスパターンを検索し、前記パターンを示すプロファイルを作成することを特徴とする、請求項８８に記載の方法。
【請求項１２９】
前記ユーザプロファイルを使用して、前記ユーザの受信機対応コンピュータ（１８−２０、１２０）に記憶されるか、または利用しうる情報の編成および／またはコンテンツを決定することを特徴とする、請求項１２８に記載の方法。
【請求項１３０】
前記受信機対応コンピュータ（１８−２０、１２０）は、前記ユーザが外出中に前記受信機対応コンピュータコンピュータ（１８−２０、１２０）を携帯しているときに、前記ユーザがネットワークに接続したりサービスプロバイダにダイヤルアップしたりする必要なく、放送コンテンツを受信すること特徴とする、請求項１２８に記載の方法。
【請求項１３１】
前記受信機対応コンピュータ（１８−２０、１２０）は、前記放送局と関係なく、または受信機モジュールを介して初期設定を行うことを特徴とする、請求項８８に記載の方法。
【請求項１３２】
前記情報コンテンツを携帯電話の波長で放送することを特徴とする、請求項８８に記載の方法。
【請求項１３３】
前記携帯電話は、前記放送局からの要求を受けて、前記放送局に関して初期設定されることを特徴とする、請求項８８に記載の方法。
【請求項１３４】
前記携帯電話は要求された情報、任意で顧客関係の情報、を前記ユーザから前記放送局に送信することを特徴とする、請求項１３３に記載の方法。
【請求項１３５】
前記放送局は、目的のマルチメディア放送を、前記放送局に関して初期設定された携帯電話に伝送することを特徴とする、請求項１３４に記載の方法。
【請求項１３６】
前記放送局は、携帯電話ユーザから要求された情報コンテンツを、前記要求元ユーザがいるセルにのみ放送することを特徴とする、請求項８８に記載の方法。
【請求項１３７】
前記放送局は、携帯電話ユーザから要求された情報コンテンツを、前記要求元ユーザがいるセルにのみ放送することを特徴とする、請求項９０に記載の方法。
【請求項１３８】
前記情報コンテンツを放送し、前記情報コンテンツを多チャネルで受信し、前記情報コンテンツが大きなデータファイル、任意でビデオまたはインターネットファイル、を含むことを特徴とする、請求項１３７に記載の方法。
【請求項１３９】
前記マルチメディア放送が広告を含むことを特徴とする、請求項９１に記載の方法。
【請求項１４０】
前記マルチメディア放送の受信は有料サービスを含むことを特徴とする、請求項９１に記載の方法。
【請求項１４１】
前記放送局は前記受信機対応コンピュータ（１８−２０、１２０）の前記ユーザの位置を前記コンピュータまたはコンピュータユーザに関する情報から割り出し、前記ユーザが所望する情報コンテンツの放送、任意でＥメール、ボイスメール、またはインターネットファイル、を前記割り出されたユーザの位置に送信することを特徴とする、請求項８３、８４、８５、８６または８７に記載の方法。
【請求項１４２】
前記コンピュータまたはコンピュータユーザに関する前記情報が、地理的な位置、郵便住所、郵便番号、電話加入局番、または携帯電話の初期設定データを含み、前記所望の情報放送を、ユーザの位置の範囲内にあるとして選択されたセルに放送することによって、任意で、選択されたセルだけに放送することによって、送信することを特徴とする、請求項１４１に記載の方法。
【請求項１４３】
前記放送局は前記携帯電話の前記ユーザの位置を前記携帯電話または携帯電話ユーザに関する情報から割り出し、前記ユーザが所望する情報コンテンツの放送、任意でＥメール、ボイスメール、またはインターネットファイル、を前記割り出されたユーザの位置に送信することを特徴とする、請求項８３、８４、８５、８６または８７に記載の方法。
【請求項１４４】
前記割り出された位置に関する情報は、地理的な位置、郵便住所、郵便番号、電話加入局番、または携帯電話の初期設定データを含み、前記所望の情報放送を、ユーザの位置の範囲内にあるとして選択されたセルに放送することによって、任意で、選択されたセルだけに放送することによって、送信することを特徴とする、請求項１４３に記載の方法。
【請求項１４５】
前記情報コンテンツが、前記ユーザを付加的なデータリソースに自動的に誘導する埋込み型ダイナミックデータ、任意でハイパーリンク、を含むことを特徴とする、請求項８３、８４、８５、８６または８７に記載の方法。
【請求項１４６】
ａ）デジタル化された情報コンテンツを無線送信機から無線で放送する放送局と、
ｂ）前記情報コンテンツを前記送信機の範囲内にある無線受信機で受信するユーザと、
を含む、情報コンテンツを放送局からユーザに無線で供給する方法であって、
前記送信機が携帯電話送信機（１４）を含み、前記受信機は前記携帯電話送信機（１４）から携帯電話伝送を受信できる受信機対応コンピュータ（１８−２０、１２０）、任意で携帯電話、を含み、前記ユーザは前記放送局からの特定の情報コンテンツを要求し、前記受信機対応コンピュータ（１８−２０、１２０）は、前記受信機（１８）が前記放送局に関して初期設定することなく、デジタル化された前記放送情報コンテンツを伝送時に受信することを特徴とする方法。
【請求項１４７】
前記情報コンテンツが、マルチメディアデータ、テレビ、電子新聞、ビデオ、音声、コンピュータソフトウェア、コンピュータゲーム、または前記要求された情報コンテンツを受信して前記ユーザに提供する前記受信機対応コンピュータ（１８−２０、１２０）が帯域幅の可用性から割り出した時間に前記要求されたコンテンツを放送する前記放送局が、前記放送を多チャネルで伝送および受信することによって放送できるデジタルデータ情報サービスを含むことを特徴とする、請求項１４６に記載の方法。
【請求項１４８】
前記要求された情報コンテンツがインターネットから入手されることを特徴とする、請求項１４７に記載の方法。
【発明の詳細な説明】
【０００１】
技術分野
本発明は、大量の電子データをマルチメディアデータの中央データ送信元から地理的に分散している、パソコンを有する多数のサービス利用者へ同時に伝送するシステムと方法に関する。特に、本発明は、改善された電子新聞配布方法として最適である。
【０００２】
発明の背景
新聞および他タイプの活字メディアの従来の配布システムは、費用と時間のかかる数多くの段階を要する。例えば、新聞は中心都市部で印刷され、都市区域または群全域の購読者に配達員の手で配布することが要求される。これは、配布費用、時間遅延、および刷りすぎによる無駄を生じる。
【０００３】
また、新聞用紙の費用および廃棄物は、高い新聞用紙代、環境汚染、森林減少、および複雑な廃物処理手順を招く新聞の価値の一時性のために引き起こされる重大な社会問題である。定期購読している大勢の読者の総合的なニーズに応じるための新聞の多岐にわたる題材は、新聞全体に興味を持つ購読者は殆どなく、その大部分がすぐに捨てられてしまうという点で資源の大きな無駄を招いている。しかしながら、各購読者の興味に基づいて個性化を進めた新聞を提供することは、この様式ではきわめて非現実的である。
【０００４】
新聞や雑誌などの印刷されたメディアアートは、時間に敏感な新聞を遠く離れたところにある都市に供給して印刷および購読者への地方配布を行う迅速な電子配信システムをすでに開発している。このように、メディアのコピーの大量電送は、従来の印刷機を使用し、従来の配達員による地方配布を要する印刷工場で使用するように構成されてきた。
【０００５】
しかしながら、発行元から購読者への直接電子通信の試みは、電子配信システムにおけるポイント・ツー・ポイント接続（２地点間接続）のために広帯域の無線伝送チャネルおよび／または専用電話回線を割り当てる必要があるので、費用が高く限界があった。ポイント・ツー・ポイント方式のファクシミリシステムの場合、専用通信回線は、電話交換システムを介した多数の配布箇所への通信が同時要求されるときに過負荷接続および話中回線を起こす問題を解決する必要がある。また、これに伴う電話料は高額で、メディアソースおよび提携電話回線によって制御できない。
【０００６】
同様に、”インターネット”などのコンピュータネットワークは、送信局と受信局の間を専用接続回線によってポイント・ツー・ポイント接続することができる。これらは、新聞購読者などの不特定多数の読者を処理するのに不適であり、さらに、大量データ伝送のために莫大な料金、プロトコル、および書式設定要件を必要とするので、簡素で低コストの新聞配信システムの実現には適していない。コンピュータネットワーク機能は、トラフィックが混雑した状態のときに商用電話交換のネットワークが不通になるのと同じように、数多くの購読者に対するこのような大量データの経路指定およびトラフィック要件を輻輳状態に陥らせることなく処理することができない。したがって、ほとんどのニュースサイトの内容は、新聞または他の定期刊行物よりずっと少ない。そのため、大幅に改善された新聞配布システムが必要とされている。
【０００７】
発明の大要
本発明の目的は、印刷されたメディアのコピーを地理的にさまざまな場所で閲覧させるためにメディアソースから多数のコンピュータユーザに同時に大量伝送する、瞬時にアクセスできる低コストの通信システムを提供することである。本発明の付随的な目的は、パソコン上に新聞を再現するための、大量のデータを放送する簡素で安価な大量データ通信システムを提供することである。本発明の別の目的は、ビデオ、インターネットならびにコンピュータゲームのデータ、Ｅメール、およびボイスメールといったマルチメディアデータを伝送することである。
【０００８】
本発明のさらに別の目的は、個人的価値のある、すなわち各購読者の興味をそそる内容を提供する新聞システムを提供することである。
【０００９】
本発明のさらに別の目的は、サウンド、ビデオ、コンピュータ、ゲーム、およびコンピュータユーザへのボイスメール、Ｅメール、インターネットファイルならびに他の情報の配信といった付加的なマルチメディア素材を備えた、実用的で無駄が少なく低コストの、実質的に即時的な電子新聞配布システムを提供することである。このように、個人的に選択された購読者の新聞ファイルとマルチメディアファイルは、閲覧し、廃棄物を出すことなく処分するためにコンピュータシステムに電子的に記憶させることができ、それによって従来の新聞用紙の消費が回避される。
【００１０】
本発明は、マルチメディア情報、すなわち、新聞、雑誌、広告、音楽、本、ゲーム、ビデオクリップ、コンピュータソフトウェア、インターネットデータ、Ｅメール、ボイスメール等といった情報、を範囲内の多数またはすべてのコンピュータに同時に放送するシステムを提供するものである。放送は、ユーザをウェブサイトにつなぐハイパーリンクソフトウェアを含むこともできる。送信機の範囲内のコンピュータにデジタルデータが伝送／放送される。放送用のデータを、その送信元からサーバまたは放送局に伝送、すなわちアップロードできる。送信元は、新たなニュースプロバイダ、新聞、雑誌発行元、マルチメディア会社、テレビ放送会社、インターネットサーバ、広告主等であってもよい。
【００１１】
サーバはデータストリームを送信機に送り、送信機はこのデータストリームを放送する。放送はＲＦ、ＶＨＦ、ＵＨＦ、携帯電話、または他の無線伝送システムなど慣例的な波長域で地上波で行うこともできるし、衛星中継で行うこともできる。データストリームは、データストリームをコンピュータ、ＰＣ、ラップトップ型コンピュータ、持ち運び型コンピュータ（例えば、パーム（商標）コンピュータ）、またはデータを表示でき１つ以上の受信モジュールを備えた任意の装置に対して放送するための携帯電話の送信機を用いて放送される。データストリームを受信するシステムを以下に詳述する。この創意に富んだ受信モジュールはシングルチャネルまたはダブルチャネル型の受信機に限定される必要がないので、携帯電話の放送をマルチチャネル放送にすることができ、携帯電話の接続と同様に、多数のデータチャネルをコンピュータに同時に受信させるようにすることができる。
【００１２】
大容量の新聞を含む放送、すなわちマルチメディアの放送は、伝統的に携帯電話および他の無線サービスプロバイダの帯域があまり利用されていない深夜（購読者の現地時間で）にできる限り行うことによって伝送できると考えられる。また、ニュースおよび他の新しい記事を手に入れることができるので、日中の更新もありうる。携帯電話という通信形態で用いられる電波が要するアンテナは他の電波の周波数帯と比べて比較的小さく、また、短波長は建築物を通り抜け、移動中、またはユーザのコンピュータが建築物の内部にあるときの購読者−ユーザの受信状態をより確実なものとするので、携帯電話の波長をデータの放送に使用することが有利である。ＤＡＢ、ＦＭ等といった他の多くの無線およびテレビジョン波長に関して考えられる方法による、および衛星中継によるマルチメディアデータの放送も需要があるかもしれない。
【００１３】
新聞の表示は、従来の新聞と同様の形式と割付けでコンピュータ画面に現れてもよい。ページ移動するときの時間遅延がないので、新聞データの表示のためにインターネットが採用しなくてはならなかったレイアウトである読物メニューを表示しなくてもよい。しかしながら、新聞は、サービスプロバイダが望むならば、または、放送のマルチメディアコンテンツの指令を容易化するために、メニューフォーマットで割り付けられてもよい。
【００１４】
放送が衛星中継による伝送用のものである場合、情報を含んでいるデータストリームは、データストリームをより広範囲に放送するために地上送信機から衛星または衛星群に伝送される。無数のエンドユーザが同時受信できるデータ伝送を生み出すために衛星を使用することにより、事実上、そのようなユーザの人数を帯域幅に乗じることになる。
【００１５】
データストリームは、携帯電話またはＰＣカード等、データストリームを受信できる任意のデバイスを含むアンテナ／モデムによって受信され、データストリームはコンピュータ、ウェブテレビ、またはデジタル処理可能な専用装置または他の装置によって処理され、ソフトウェアによって有効なフォーマットに変換される。本発明によれば、そのような装置は常時作動状態に維持されるか、またはスケジュールにしたがって作動させられる。
【００１６】
マルチメディアデータの放送は、放送局に関して受信機を初期設定する必要なく放送送信機の範囲内のコンピュータユーザの受信機対応コンピュータが受信できることが好ましい。コンピュータの受信機は、ラジオのスイッチが入ると音が出てくる、すなわち、ラジオの所有者が放送局に関して初期設定する必要ないのと同じように放送を受信できる。しかしながら、例えば、仕事や旅行等で動き回っている人々にその人向けの情報を放送し、サービスプロバイダがその顧客に関する情報をデータベースに保存できるようにするために対象をしぼったマルチメディア放送など、何らかの理由から放送局に関して初期設定することをコンピュータユーザに要求することがサービスプロバイダにとって有利な場合もある。
【００１７】
データストリームは符号化、暗号化、および／または圧縮されてもよい。放送されるデータストリームは、コンピュータのメモリ装置または受信モジュール内のメモリカードに記憶される。
【００１８】
マルチメディア放送内の販売広告用コンテンツは主要な収益発生方法であると考えられる。本願明細書中でコンピュータユーザと呼ばれる、データ放送を受信する個人または団体は、このサービスに対して選択的または付加的に料金を支払うこともある。
【００１９】
放送データの受信に関心を抱くこれらの個人は、ＣＤ−ＲＯＭまたは他のコンピュータ媒体に収められているソフトウェアをインターネットからインストールするか、またはサービスプロバイダによって選択された方法であるなら、ソフトウェアを放送の中からダウンロードする。ソフトウェアにより、受信機がシステム機能をカストマイズすることも可能となる。
【００２０】
このような専用ソフトウェアは、放送の受信を管理し、ユーザの一連のタスクを実施することが要求されるであろう。このソフトウェアは、コンピュータがオン状態、または待機状態、またはオフ状態のときに動作するするように要求されるであろう。また、このソフトウェアはコンピュータを起動させる必要があり、このコマンドは所要の放送の時間までに起動され得る。ソフトウェアは、ユーザがコンピュータに記憶するように指令したマルチメディアデータ放送を、分かっている時間に分かっている無線周波数帯からコンピュータのメモリファイルに記録し始めるようにコンピュータに命令する。あるいは、ソフトウェアはコンピュータに対し、先と同様に、オン状態、または一時停止状態、またはオフ状態のいずれか任意の状態から、所要の放送の最初に伝送される着信データパケットを検索するように指令し、次に、データパケット内の情報を認識することによって、コンピュータに対し、（まだコンピュータのスイッチが入っていない場合にはコンピュータのスイッチをオンにすることによって）着信放送に向けた準備を自ら行い、次いで、ユーザ指定のコンピュータ内メモリファイル、または受信モジュール内のメモリ機能に放送をダウンロードするように指令する。このソフトウェアはインターネットウェブサイト経由で、またはＣＤによって、または放送を通じてソフトウェアを伝送することによって、ユーザに提供されることになると考えられる。ソフトウェアをコンピュータに提供する方法は数多く存在する。コンピュータユーザがソフトウェアを自分のコンピュータにインストールすると、サービスプロバイダが更新されたソフトウェアを放送することによって、または他の方法によってソフトウェアの機能を更新できると考えられる。ソフトウェアは、メニュー上のアイコンをクリックすることによって新聞または他のマルチメディアデータ放送を選ぶ選択権をコンピュータユーザに与えるメニューを有することができ、また、このソフトウェアは、これらの放送が伝送されるときにこれらの放送をコンピュータのメモリまたは受信機モジュールのメモリに記憶するようにコンピュータに指令する。ソフトウェアは、ユーザが後で利用するために記憶しておきたい着信放送を検索する機能を有することであろう。また、ソフトウェアは、コンピュータユーザにとって興味深いデータを含んでいそうであるとして選択された放送を記憶できるであろう。そして、放送が記憶されると、ソフトウェアは、放送を走査してコンピュータユーザにとって興味深いマルチメディアデータを検索するようにコンピュータに指令する。コンピュータは、対象のデータを発見すると、コンピュータユーザが都合の良い時に見られるように、この放送をメモリファイルに記憶することができる。記憶され検索された不必要な放送は、ソフトウェアによってコンピュータのメモリから削除される。マルチメディアデータ放送の検索は、伝送の最初に放送内容の概要をコンピュータに知らせる情報パケットを介した検索か、キーワードまたはワードグループの検索か、音声認識または写真もしくは映像認識といった開発可能な他の手段によって可能である。
【００２１】
所望のデータを記憶する空間を作るために不要データをコンピュータから削除した状態で、記憶され、走査され、検索され、それから、コンピュータユーザが後で見られるようにリファイルまたはダウンロードされたマルチメディア放送データは、マルチメディア放送を選択する上で、およびソフトウェアがマルチメディア放送を処理する上で不可欠の部分になると考えられる。一例を挙げれば、コンピュータユーザは、特定の人気歌手に関する、放送されるすべてのマルチメディアデータをダウンロードするように自分のコンピュータに命令できる。このときソフトウェアは、当該アーティストの記録に関し、それらしい放送のリストを走査して記憶できる。また、単語または音声で走査することによって、および他のすべてのデータ認識方法によって、放送の最初の部分のデータ情報では見つけられなかった新聞インタビューを受ける対象人気歌手を走査し、特定し、それから所定のファイルに再保存することもできるであろう。その性質上、先行する適切なデータ情報パケットなしで放送される可能性が高いのがニュース記事であった。
【００２２】
この専用ソフトウェアを使用することにより、コンピュータユーザは、特定の受信対象素材を選択し、記憶に関するオプションと受信放送を選択してもよい。また、ユーザは、新しいデータを受信するときに既存データを削除するように指定してもよい。これは、コンピュータのメモリリソースの節約を助ける。許容されるオプションおよび利用可能な素材はソフトウェアによってリストされ、インターネット、ＣＤ−ＲＯＭ、データ伝送、または放送を介して更新され得る。
【００２３】
放送は、タスクを任意に追加的に実施できるソフトウェアを含むことができる。例えば、ユーザが選択できるウェブサイトのアドレスを放送に埋め込むこともでき、したがって、ユーザが放送データをまだ閲読または閲覧しているうちに、ユーザをそのアドレスのウェブサイトにハイパーリンクする。したがって、ユーザがこのウェブサイトの閲覧を希望すると、このウェブサイトにつながる。あるいは、放送されたハイパーリンクまたは他のデータをソフトウェアによってブックマーク等の形で記憶して後から使用することもできる。放送されるデジタルデータは、デジタル放送として伝送できる任意のコマンドを含むことができる。
【００２４】
テキスト、写真、ビデオプログラム、コンピュータゲーム、音楽、アニメーション等のデータは、伝送時間を短縮しコンピュータメモリの空間を節約するためにコードを使って縮めることができ、その結果、コンピュータ／受信機はより多くの情報を記憶できる。
【００２５】
放送は、ニュース、広告、漫画等といった従来は印刷されていた媒体も、サウンドトラック、コンピュータゲーム、動画、スクロール画、ビデオクリップ、テレビ番組、およびコンピュータソフトウェアも含むことができる。関連データがそのどこかの部分に埋め込まれているか、またはその一部を形成している場合、放送はユーザによって、ユーザをそのインターネットサーバに誘導するか、任意の他の手段によってユーザを組織、個人、または広告主につなぐように選択され得る。
【００２６】
このデータ内には、埋め込みデジタル情報を含む、ビデオクリップ、コンピュータゲーム、動画等が存在していてもよいし、また、このデータは、ウェブサイトのアドレスであり得る静的または動的ユニバーサル・リソース・ロケータ（ＵＲＬ）を含むこともできる。ユーザがマウスまたは遠隔操作装置またはキーボードまたは他の手段を使ってこのＵＲＬをクリックするとそのＵＲＬにハイパーリンクでき、それによって、インターネットサイトまたは他のロケーションであれ、別のデータにアクセスするためのサービスであれ、適切なリソースにユーザを誘導する。あるいは、ソフトウェアは、ＵＲＬ／ウェブサイトアドレスを将来使うためにブックマークとして記憶できる。
【００２７】
「下り方向」に受信機に伝送される情報放送は放送であり、「上り方向」に受信機から伝送される情報は、インターネット接続、地上通信線や携帯電話などの電気通信、衛星回線、郵便書簡、ファクス等による。例えば、読者の手紙が放送局／サービスプロバイダ宛にＥメールされたり、テキストメッセージが伝送されることもあるが、ＥメールまたはＥメールに含まれる放送は次回以降の放送で放送できる。下り方向のデータは、定期的に放送することもできるが、１日中常に放送し、更新し、繰り返し放送することも可能である。
【００２８】
本発明の好適な実施態様によれば、すべての伝送データは、データブロックに割り当てられ、各データブロックは識別子（ファイル名など）を有する。更新は、いずれも同じ識別子を有する更新されたデータブロックを古いデータブロックと交換することによって行ってもよく、これにより、購読者が特定の更新をしそこねた時でさえも、定期刊行物を適切に更新できる。
【００２９】
また、マルチメディアデータをマルチチャネル放送することによって伝送速度を向上させることができると考えられる。例えば、携帯電話の放送ネットワークを使用してマルチメディアデータを放送するときは、同時に多数のチャネルでデータを放送することが有利であろう。これにより、任意の量の情報を放送でコンピュータユーザに伝送するのに要する時間が短縮する。
【００３０】
これらのマルチチャネル放送を受信する受信機−コンピュータでは、多数の情報チャネルを同時に受信できるように受信機−コンピュータを開発する必要があるだろう。また、同時に送り出された異なる放送を記憶できるように、多数のデータチャネルを別々に受信できる必要もある。
【００３１】
コンピュータ−受信機用のソフトウェアは、１度に１つ以上のマルチメディアデータ放送をコンピュータのメモリに記録できるであろう。これにより、ユーザは１度に１つ以上の放送をコンピュータのメモリにダウンロードでき、そのため、コンピュータはマルチメディアデータ放送のダウンロードおよび検索と同時に、重複する放送を記憶したりボイスメールおよびＥメールを受信することができる。
【００３２】
また、マルチメディアデータの放送は、ハイパーリンクデータ等のデータが埋め込まれた新聞、雑誌、本、動画、ビデオ、ゲーム、コンピュータゲーム、音楽、音声だけでなく、コンピュータのソフトウェアとデータを含むこともできる。
【００３３】
放送されるすべてのマルチメディアデータは圧縮できる。データが圧縮または符号化されると、符号化されたテキスト、写真、ビデオ、音声、ソフトウェア等の伝送時間を短縮でき、また、コンピュータメモリファイル内の容量が節約できる。従来のすべてのデータ圧縮法を利用できる。
【００３４】
Ｅメール、ボイスメール、およびページャのメッセージといった追加情報は、コンピュータユーザに放送することが可能である。コンピュータは自己のコードを用いて、メッセージが任意のコンピュータに宛てられたものであることをデータの先行パケットか他のいずれかの認識方法によって認識する。専用ソフトウェアは、次に、情報をコンピュータのメモリにダウンロードし、メッセージデータが暗号化されている場合は、その情報を解読して、コンピュータユーザがＥメール、ボイスメール、およびパーソナルメッセージ等を受信できるようにする。これらのデータは、ユーザが外出中でコンピュータを持ち運んでいるときでさえ、ユーザがネットワークに接続したりサービスプロバイダにダイヤルアップしたりする必要なく、コンピュータおよび携帯型コンピュータに直接伝送される。放送が地方または携帯電話送信機を対象としている場合、コンピュータユーザは、Ｅメール、ボイスメール、インターネット、データ等、サービスプロバイダ、コンピュータが配置されているアドレス−ロケーションを登録する必要がある。それにより、携帯電話ネットワークの場合、サービスプロバイダは、コンピュータユーザのコンピュータが入っているセルに所要の情報を放送するだけで、それらのリソースを温存できる。
【００３５】
コンピュータが、Ｅメールであれボイスメール等であれ、メッセージを受信すると、専用ソフトウェアは、メモリに新しいメッセージが記憶されたことをユーザに知らせる。ユーザに対する着信通知（ａｌｅｒｔ）は、サウンドカードとスピーカまたは他の発音装置を介して、またはユーザに新しいデータの着信を知らせるように考案された他の方法を介して、音声を発生させるコマンドによって提供されてもよい。メッセージ放送サービスは、放送費を支払うまたは放送費の支払いを助ける広告メッセージ、すなわちメッセージと一緒に送られる広告として、無料のサービスとして提供できる。
【００３６】
ユーザが放送内の特定情報を、ディレクトリまたは放送されたディレクトリまたは他の手段を使わずに発見するのを助けるために、着想された専用ソフトウェアプログラムは、選択された伝送をコンピュータメモリまたはアンテナ受信モジュール内の外部記憶容量に記憶し、データがコンピュータメモリに記憶されれば、次に、キーワード、フレーズ、タイトル、写真、画像、記事等といったカテゴリー別に、または埋め込まれたソフトウェアによって、または情報等を参照することによって、または単語とデータ、ソフトウェア等の任意の組み合わせによって、記憶データを検索するようにコンピュータに命令するであろう。ソフトウェアは、記憶され走査された放送のうち、コンピュータユーザにとって興味深い部分を探し出す。これらの興味深い部分は、次に、専用ソフトウェアによって、選択されたデータメモリに記憶されるように指示され、その後、このソフトウェアは、コンピュータ／受信機モジュール上の不要データによって塞がれているメモリ空間から不必要なデータを消去するように指令できる。
【００３７】
例えば、ユーザが、仮にセーリングに特別関心が深いという場合、専用ソフトウェアは、適当なサービスプロバイダまたはチャネルの放送を記憶し、それからボート、セーリング、港等に関する読物／記事を探して記憶データを走査し、コンピュータユーザが後で使うための対象情報が別のファイルに記憶されると、不要データをコンピュータのメモリから削除して空間を作る。
【００３８】
本発明は、サービスプロバイダへの携帯電話型伝送リンクと組み合わせて使用することもできる。伝送リンクは、コンピュータの外部に設けてもよいし、内部に組み込むこともできる。あるいは、サービスプロバイダとの通信は、従来の電話回線または他の通信方法を使用することによって行うことも可能である。また、コンピュータユーザとマルチメディアデータ放送局の間の命令により、コンピュータへのマルチメディアデータの放送を指令できる。例えば、要望を受けて放送されるデータは、前述の、マルチチャネル放送である超高速伝送を使ってインターネットから要求される特定のファイルであってもよい。要求された情報はごく短時間でパーソナルコンピュータのメモリに配信でき、これによりコンピュータユーザには即時インターネットであるように見える。ごく短時間のデータ放送量のため、受信データは専用ソフトウェアによってコンピュータのメモリファイルに記憶されることが可能であり、その後、受信情報をコンピュータメモリから見ることができる。放送局は郵便住所または郵便番号などの情報を使用し、または、組込型携帯電話またはコンピュータユーザが放送を受信しながら携帯している移動電話の、電話加入局番または携帯電話の初期設定データによって、要望されたインターネットファイル、ボイスメール、Ｅメール、または他のデータを、どのセル内のどこに放送すべきか、また、ユーザコンピュータをどこで見つけるべきかをサービスプロバイダに伝える。このように、コンピュータユーザのアンテナ受信機対応コンピュータに向けて放送を送り出すことができ、それにより、情報を要求していないエリアへサービスプロバイダが不必要に放送する無駄を省き、インターネットサービスが利用できない場合にはオプションとして追加料金でサービスを提供する。このように放送される所望データは、コンピュータユーザが後で見るために、専用ソフトウェアによってコンピュータのメモリに記憶される。
【００３９】
マルチメディア放送受信機はマルチメディア放送データを受信すると考えられる。内蔵記憶容量を備えた外部モジュールにすることもできる。このモジュールは、コンピュータユーザが携帯し、ユーザにとって興味深いマルチメディア放送をユーザがコンピュータを利用するときに受信および記憶するように設計できる。モジュールはこのコンピュータと連係でき、したがって、ユーザは携帯型受信機モジュールに記憶されたユーザ指定のマルチメディア放送のデータを見ることができる。外部受信モジュールは独自の演算機能を有することができるが、電源に独自の構成（ｉｔ’ｓ　ｏｗｎ　ｂｕｉｌｔ）が必要であろう。このモジュールはコンピュータと連係するか、または、コンピュータの一部として組み込むこともできる。この書類では、このモジュールのことを、受信機、受信機モジュール、またはアンテナ受信モジュールと呼ぶ。
【００４０】
受信機のアンテナとコンピュータは携帯電話の中に組み込むことができる。アンテナは、携帯電話にも、マルチメディア放送の受信にも使用できる。
【００４１】
見ることができる折り畳み式スクリーンを有する携帯型コンピュータを、本発明にしたがって使用することもできる。この折り畳み式画面は、２枚以上、できれば３枚の画面を有する。データはこれらの画面一面に表示され、そのため、広げられているときは１枚の画面のように見える。１枚以上の画面は、ユーザがコンピュータに命令したり、レターまたはＥメール等をタイプできるように、触れると感知するタッチセンシティブのキーバッドであってもよい。このコンピュータは、コンピュータへの情報放送を受信する機能をコンピュータに与える受信機を有している。コンピュータが携帯電話の一部分を構成することも可能であるし、コンピュータが携帯電話機能を有することも可能である。専用ソフトウェアは選択された放送を記憶する。コンピュータ−受信機はこれらの放送を１度に複数のチャネルで受信できるその後、ソフトウェアは、ユーザがほぼ瞬時に記憶情報を利用できるようにこれら別個の放送をコンピュータのメモリに記憶するようにコンピュータに命令する。アンテナは、マルチメディア放送をダウンロードする多帯域受信機のアンテナとしてだけでなく、組込型携帯電話のアンテナとしても作動するであろう。コンピュータは、コンピュータユーザにとって興味深い放送をコンピュータメモリに記憶する専用ソフトウェアを有することであろう。これらの放送は、放送名によって、またはタイトルによって、またはその中の主題によって選択できる。専用ソフトウェアは、コンピュータが所望の興味対象を探してデータを検索するために放送データを記憶するようにコンピュータに命令する機能を有する。これらの主題は、データ内のキーワード検索によって、または一連の単語によって、または埋込みデータによって、または写真もしくは音声認識によって、またはユーザがコンピュータに検索を命令するあらゆる検索方法によって検索し、所望データを走査および記憶することによって発見でき、そのため、ユーザが希望するときにユーザがその新聞を読んだり、そのテレビ番組を見たり、ラジオを聞いたり、コンピュータゲームをしたり、Ｅメールを読んだり、ボイスメールを聞いたり、このように放送され得る任意の形態のデータを利用できる。ユーザは装置の携帯電話の部分を利用して情報を要求することができ、情報の一形態はインターネットからのものである。情報は、その受信機−コンピュータの放送受信機能を介して装置のコンピュータのメモリに受信される。これらの伝送は同時に多数の放送チャネルによってコンピュータユーザに伝送することができ、それによって情報の受信が極めて高速となり、インターネットから要求したデータがそのコンピュータ画面に瞬時に現れたという印象をユーザに与える。これらのサービスは、受信機対応デスクトップコンピュータや定位置コンピュータも利用できることであろう。コンピュータユーザは、インターネットおよび他のデータに、地上通信線または携帯電話の接続や任意の他の手段によって情報を要求し、この情報を非常に高速なマルチチャネル放送で受信できる。着想された本発明で説明される受信機対応コンピュータのユーザは、自分の選択範囲の新聞、テレビ番組、ラジオ番組、音楽、コンピュータゲーム等を随時利用することができ、受信したＥメールや受信したボイスメールメッセージをそのコンピュータのメモリから読んだり聞いたりすることができる。
【００４２】
コンピュータの画面は、光および熱の形のエネルギーを吸収し、このエネルギーを電池に充電する電気に変換する太陽電池パネルとなるように作成することも可能である。電池に充電するために、コンピュータのケースを太陽エネルギー吸収材料で作ってもよい。
【００４３】
ＦＭ、ＤＡＢ、および無線テレビジョン等といった他の放送媒体を、本発明によるマルチメディア放送の伝送に使用することも可能である。場合によっては、デジタル形式の電波によるテレビジョンデータ放送の視聴のように、データがコンピュータに到着するのに伴ってデータを見ることができる。
【００４４】
本願明細書では、コンピュータという用語は、マルチメディア放送を表示できるすべての装置と、マルチメディア放送を受信でき、そのデータまたはデータの一部を記憶できるすべての装置を記述するために使用される。
【００４５】
また、本願明細書では、マルチメディアという用語は、ラジオ、ビデオ、音楽、新聞等の従来のマルチメディアと、コンピュータソフトウェアプログラム等のマルチメディアデータの両方を記述するために使用される。
【００４６】
本発明および本発明の作成および使用にかかる１つ以上の実施態様、ならびに、本発明の実施に当たって考えられる最良の形態を、例として添付図面を参照しながら以下に詳述する。
【００４７】
発明の詳しい説明
下記の本発明のより詳細な説明は、前述の発明の大要および背景の説明に鑑み、その脈絡の中で読まれるべきものである。明白であるか明記されている場合を除き、「上」、「下」、「左」、「右」、「前」、「後」などの方向の表示は、本実施形態の第１の番号が付与された図面に示されている本発明の特定実施形態の方向を基準とするものである。また、任意の参照番号が別の図に表示されているときは、同一または同様の構造を示す。
【００４８】
図１〜６は本発明の一実施形態を示す。下り方向のデータの流れの概要が図１に示されている。情報はデータ送信元１０から入手され、サーバ１２に記憶される。データは、放送用のデータストリームを空間を通して、無線中継器として作用する衛星または地上の送信機１６へ伝送できる地上無線送信機１４に転送される。衛星または地上の送信機１６は、持ち運び型コンピュータまたはパーソナルコンピュータ（ＰＣ）２０上で購読者が閲覧する情報を記憶できる受信機１８によって受信されるデータストリームを、範囲内に放送する。同時に大勢のユーザによって受信されるデータの伝送により、インターネットなどのネットワークを介したデータ伝送と比較して、有効帯域幅が広くなる。
【００４９】
放送操作は、図２に示される工程段階を含む。放送データはステップ２２で入力され、ステップ２４でデータブロックとして記憶される。この工程で、各ブロックを識別する目録または管理リストが生成される。予め設定された時限またはデータ量の終了時など、ある種のパラメータが満たされた後、ステップ２６で放送が手動または自動的に開始されると、ステップ２８で記憶されたデータが記憶装置から回収される。データはステップ３０で送信機に転送され、ステップ３２で符号化、暗号化、または同様のセキュリティ保護された形のものとして伝送される。
【００５０】
各ブロックが伝送された後、ステップ３４でデータリストのチェックが行われ、リスト内の全ブロックが伝送されているかどうか判断される。別のデータブロックを伝送しなくてはならない場合、図２にステップ３６の肯定応答として示されているデータ回収ステップ２８に戻り、前述のようにステップ３０、３２、および３４にしたがって進んでデータを転送および伝送する。ステップ３４のリストのチェックで、すべてのデータ（または、十分に高い割合のデータ）が伝送されたことが判明した場合、ステップ３８で放送が終了する。
【００５１】
あるいは、システムは、任意の回数にわたって放送を再実行するように、すなわちステップ２６からステップ３８に進むように設定されてもよく、これにより、遠隔地、妨害が多い場所、または範囲内および範囲外の両エリアの中継を行う場所にいる購読者が伝送を完全受信する機会が増大する。
【００５２】
別の選択肢として、同じものが提供される場合に、あるセクションの再放送を要求するオプションが購読者に与えられてもよい。この場合、もっとも需要の高いセクションの利用は、帯域幅を使用できる決まった時間を遡って計算される通りに提供される。
【００５３】
ステップ４０で、ＰＣまたは携帯型の処理装置に接続された受信機または送受信機を介して購読者に放送が受信される。各データブロックが受信された後、ステップ４０でデータリストファイルがチェックされ、すべてのデータブロックが入手されているかどうか確認される。データリスト自体が伝送される。しかしながら、以前に伝送されたリストが保存されているので、新しいデータリストが受信されるまで、または新しいデータリストが受信されない場合に、新しいデータリストの代わりに使用することもできる。すべてのデータブロックが受信されるまでは、ステップ４４でデータブロックが記憶される。記憶空間を温存するために、購読者は、新しいデータを古い既存のデータの上に重ね書きして記憶するように本発明のシステムを事前設定してもよい。データリストのチェックによってすべてのデータブロックが受信されたことが判明したら、データは、ステップ４６および４８に示されているように処理装置によって処理される。データリストのチェックがない場合、その後の放送は、更新および／または置換記事の放送となる。ステップ５０で、購読者は、点滅するアイコン、特有の音や映像、またはその他の従来の手段よって新しい放送の受信を知らされる。購読者は、ステップ５２に示されているように、メモリに記憶されているソフトウェアを利用して新着情報を見ることもできる。
【００５４】
本発明のシステムに対応するソフトウェアは、各購読者に提供され、各購読者の興味に応じて更新される。購読者が本発明のシステムによって提供されるサービスに申し込むと、初めに、購読者に関する全般的な基礎情報が求められる。これは、ウェブサイト上の書式に記入することによってオンラインで、または郵便か電話によって実施されてもよい。
【００５５】
放送情報は、情報記事、ニュース、論評、広告等を含んでいる。購読者が放送にアクセスすると、画像、目次、および広告を含んでいることもある第１のページが購読者に示される。これらの項目の多くまたはすべては、記事、広告または情報の内容を説明する画像、映像、宣伝文、要約、見出し、または表現であり、これらの画像、映像、宣伝文、要約、見出し、または表現は、記事、広告または関連情報の全体を含んでいるウィンドウ、ウェブページ、ファイル、ビューワ、ビデオ、プログラム、音声等を開くリンクを備えている。これらのティーザは、ティーザを読んでさらに詳しい関連情報を入手することに関心を持った購読者が、そうするために関連リンクにアクセスするように、幾ばくかの情報を購読者に提供するように設計されている。
【００５６】
リンクへのアクセスは、マウス、マウスパッド、または同様の操作装置を移動することにいおってカーソルをリンクの上に置き、それからマウス、マウスパッド、または同様の操作装置の左または右ボタンをクリックまたはダブルクリックなどの動作によって行われることが好ましい。
【００５７】
第１のページの例が図４に示されている。この実施形態の第１のページ５４は、ツールバーメニュー５６とショートカットキー５８の図表示を備えた、縁取られたボックス状の外観を有する最新版のＷｉｎｄｏｗｓ（登録商標）オペレーティングシステムの独特のフォーマットのように示されている。メニュー５６は、オプションと各見出しのもとにさらに別のオプションを備えているポップアップ・サブメニューとを有する「ポップアップ」スクリーンを含んでいてもよい。
【００５８】
第１のページ５４は、目次６０、「臨時」ニュース一覧６２、および最新放送日時６４を含んでいる。また、第１のページ５４には、完全な記事または宣伝へのリンクを備えた多数の記事ティーザ６６と広告６８もある。記事、広告、または他の情報に関係のある、画像７０および映像７２も、その特定の記事、広告、または情報へのリンクを備えている。
【００５９】
例えば、購読者が記事ティーザ６６のリンクをたどると、それにより、図５に示されているページのような第２のページ７４が開かれる。第２のページ７４には、完全な記事を含む本文７６と、関連のある映像もしくは画像７８または画像７０と、広告６８と、他の紙面の情報へのリンクを備えた記事ティーザ６６とがある。また、本文７６自体の中にも、特定のリンクに関係している別の情報を含む他のページ、プログラム、ファイル等を開く情報リンク８０がある。
【００６０】
前と同じように、今度は図６に示されているフローチャートを参照すると、ステップ８２で伝送が受信された後、ステップ８４で購読者は第１のページを見る。ステップ８６と８８に示されているように、購読者が任意のリンクを使用すると、そのようなリンクを使用したことが、メモリに記憶されるデータファイルに保存または記録される。
【００６１】
このリンク情報のログファイルは、本発明のシステムでリンクが使用されるたびに更新される。リンクの性質または種類に関する情報は、製品の型（広告に関連するものの場合）またはニュース記事（スポーツ、政治、株式等）に固有のものであってもよいし、あるいは、何らか別な風にリンク名またはログファイルに符号化されてもよい。ログファイルは、識別方式または各購読者専用の個人コードを含む。
【００６２】
そのようなログファイルは、例えばユーザのＰＣのハードドライブなどに局所的に記憶される。これらのログファイルはサーバ１２に送り返され、ステップ９０で、そこに含まれるリンク情報が記録される。ログファイルは、購読者がネットワーク接続時に自動転送されるように設定されることが好ましいが、ネットワークに接続して探索情報を見るように購読者に要求する本発明のシステムのリンクにアクセスすることによって起動されてもよい。
【００６３】
戻されると、購読者のプロファイルを作成するために、ステップ９２でログファイルの解析が行われ、ステップ９４で使用リンクに基づいて購読者の興味が判断される。情報がプロファイルを把握するに足るものであれば、ステップ９６で肯定応答を与え、ステップ９８で既存のプロファイル情報が新たに作成されたプロファイル情報によって更新される。既存のプロファイル情報は、購読者がこのシステムに最初に参加したときに入力された当初の情報に基づいて生成されたものでもよいし、最後に受信されたログファイルから作成されたプロファイルに基づくものであってもよい。
【００６４】
情報が、プロファイルを把握するのに不十分である場合は既存のプロファイルは変更されず、ステップ１００でログファイルが保存され、ステップ９０で新しいログが返されるのを待機する。新しいログファイル内の情報は、保存されているログファイルと組み合わされて、ステップ９２で解析され、ステップ９４でプロファイルが作成される。
【００６５】
ステップ９８でサーバ内のプロファイルデータが更新された後、ステップ１０２で遠隔のソフトウェア、すなわち購読者のコンピュータ上のソフトウェアが更新される。ステップ１０４で、購読者のコンピュータ上のソフトウェアが更新内容に基づいて調整される。この調整は、ステップ１０６の新放送において（購読者のプロファイルに基づいて購読者の興味を引きそうなタイプの）特定タイプのある種の情報およびリンクの量または比率が処理されて購読者に提供されるような遠隔のソフトウェアの変更、情報、記事、広告等の配置の変更、または購読者のプロファイルに基づいて購読者の興味を引きそうな特別な提案の追加を含んでいてもよい。このように、購読者のＰＣに受信される放送は、購読者にとって最も興味深いと思われる雑誌の部分を強調表示するように処理され、フィルタリングされて購読者に供給される。このように、放送は、入手可能なすべての読物または記事へリンク（このような情報の位置を特定の方式で示すマーカーを備えた伝送情報に基づくものであってもよい）を張った目次を使用することにより、基本情報提供という目的を購読者から奪うことなく、常に購読者とともに進化することができ、このような目次の利用により、変更または改変のサイクルがさらに促進される。
【００６６】
また、すべての購読者のプロファイルを用いて一般プロファイルを作成し、それに応じて放送全体を変更してもよく、これによって購読者群をさらに満足させることができる。
【００６７】
図７〜９は本発明の別の実施形態を示す。本発明により使用できるマルチメディアデータの供給元すなわち送信元のタイプの例として、新聞１０８、テレビ１１０、インターネット１１２、ラジオ１１４、および金融１１６が図７に示されている。データ供給元の数は、放送容量が許すだけ多数であってもよいし、供給元すなわち送信元からの新情報の有無または顧客の好みなどの要因に基づいて要望される通りに少数であってもよい。マルチメディアデータの放送局１１８は、本発明によりマルチメディアデータを配信できる任意の波長を用いて受信機対応コンピュータ１２０によって受信される放送を伝送する、携帯電話タイプの送信機などの任意の送信装置を含む。受信機対応コンピュータ１２０は、内蔵受信機と記憶容量、またはコンピュータと連係する独立受信機モジュールを備えることもできる。携帯電話タイプの送信機を使用する本発明の実施形態では、受信機対応コンピュータ１２０は放送局に関して初期設定するように要求されるのではなく、その代わりに、独自に、または受信機モジュールを介して初期設定するように要求されることが好ましい。
【００６８】
図８に示されるように、受信機対応コンピュータ１２０は、ステップ１２２で、ユーザに提供されるメッセージとデータを受信する。また、ユーザは、興味を引くある種の事項または主題を別々に記憶して表示するように選択することもできる。この選択されたマルチメディア１２４は、着信マルチメディアデータを検索することによって入手される。ステップ１２６で、要望に応じて受信データがユーザに提供される。ユーザへのデータ提供は、種々のマルチメディア送信元からの着信データの提供を発動させるボタン表示または同様物を含むソフトウェア−ユーザ・インタフェースすなわち「スキン」を介して行われてもよい。
【００６９】
図９は、当該システムにより達成できるユーザフィードバックの例を示す。ユーザは、インターネット、Ｅメール、電話、携帯電話、郵便サービス等といった任意の情報通信媒体（ｃａｒｒｉｅｒ　ｏｆ　ｉｎｆｏｒｍａｔｉｏｎ）１２８を介してマルチメディアデータの放送局またはさまざまな送信元と接触して、顧客サービスを受けたり、またはサービスの変更または改変を行ってもよい。
【００７０】
ユーザの好みを設定し、着信データにアクセスするための、本発明と組み合わせて使用できる制御システム１２９の流れ図が図１０に示されている。本発明によるマルチメディア新聞を、制御システム１２９の機能を示すための手段として使用する。制御システム１２９は、他のマルチメディアデータ送信元と一緒に使用されてもよい。ユーザは、その種々の機能にアクセスするボタン表示を有する制御プログラムインタフェース１３０を開く。基本選択機能１３２は、特定の日１３４、新聞１３６、または受信してメモリに記憶すべきセクション１３８を選択する手段をユーザに提供する。詳細選択１４０は、ステップ１４２の古い情報を保持しない更新、ステップ１４４の古い情報を保持する更新、またはステップ１４６の特定の選択事項だけを保持する更新、を選択するオプションをユーザに提供する。表示ステップ１４８は、日付別１５０に表示するかまたはステップ１５２で新聞別に表示するかを選択するオプションをユーザに提供する。制御プログラムは、選択されたオプションにしたがって、ステップ１５４で利用可能なファイルを表示する。また、ステップ１５６、１５８、および１６０に示されているように、ユーザによって与えられたパラメータを使って検索を実施し、その後、検索データベースに入り、サーチパラメータに適合するすべてのファイルをユーザに表示してもよい。ファイルは、ハイパーリンクのリストとして表示されることが好ましい。ステップ１６２で、ユーザが起動対象のファイルを選択すると、ステップ１６４と１６６で、適切なプログラムが決定され、ファイルがユーザに表示または提供される。ほとんどのオペレーティングシステムでは、適切なプログラムの特定は、ファイルが作られた適用ソースプログラムを示すファイル拡張子（例えば、．ｗｐｄ、．ｄｗｇ、．ｄｏｃ）によって行われる。
【００７１】
図１１に、マルチメディアデータがデジタル無線またはデジタルオーディオ放送（ＤＡＢ）を介して伝送される、本発明のさらに別の実施形態の流れ図を示す。現在実施されているように、ＤＡＢ伝送は、ある範囲の、アンサンブルと呼ばれる整調可能な周波数または周波数帯域で構成されている。各アンサンブルの中にいくつかのサービスがあってもよいし、各アンサンブルの中にいくつかのコンポーネントがあってもよい。ここで、機能を説明する手段として新聞の例を使用するが、任意の送信元からの他のマルチメディアデータもこの実施形態と組み合わせて使用できる。新聞を放送する場合、特定の新聞は与えられたアンサンブルの中でサービスを占有することができ、新聞のあるセクション（例えば、国際、地方、ビジネス、スポーツ等）はそのサービス内の構成要素を占有できる。しかしながら、アンサンブルが各放送毎に異なっている場合がある。以前に受信されたアンサンブルのサービスおよび構成要素の情報は、サービステーブルおよび構成要素テーブルに記憶されている。ステップ１６８で、コンピュータまたはメモリと関係のある放送受信機を起動すなわち「開始」した後、ステップ１７０に示されているように、以前の放送情報（すなわち、サービステーブルと構成要素テーブル）が消去される。以前の情報をクリアした後、ステップ１７２と１７４で、次のアンサンブルが調整され、アンサンブル内のサービスと構成要素が検査される。新しいアンサンブル全体を走査した後、ステップ１７６と１７８で、新しいサービスおよび構成要素情報を使ってサービステーブルと構成要素テーブルが更新される。例として新聞を使い続けるが、ステップ１８０と１８２で、サービスおよび構成要素テーブルは新聞およびセクションの情報を更新する。ステップ１８４で、新聞およびセクションの情報に対する更新内容を検査し、ユーザ制御設定と比較するために制御プログラムが使用される。ステップ１８６で、ユーザに所望または選択された放送情報がメモリに保存され、ステップ１８８で、それらの情報が利用可能になったことがユーザに知らされる。
【００７２】
以上、本発明の実例となる実施形態を説明したが、当然のことながら、さまざまな変形例が当業者には明らかになるであろうことを理解されたい。そのような数多くの変形例は本発明の精神および範囲内のものであると考えられる。
【図面の簡単な説明】
【図１】
本発明による放送用マルチメディア配信システムの一実施例のデータフローを示す流れ図である。
【図２】
図１に示されたマルチメディア配信システムの放送過程を示すために有用なフローチャートである。
【図３】
図１記載のマルチメディア配信システムの放送受信過程を示すために有用なフローチャートである。
【図４】
図１記載のマルチメディア配信システムの放送の第１ページの例を示す図である。
【図５】
図１記載マルチメディア配信システムの放送の第２ページの例を示す図である。
【図６】
図１に示されたマルチメディア配信システムのプロファイル更新過程を示すのに有用なフローチャートである。
【図７】
マルチメディア配信システムの別の実施形態の放送過程の概要を示すフローチャートである。
【図８】
図７に示されたマルチメディア配信システムの実施形態のデータ受信過程の概要を示すフローチャートである。
【図９】
図７に示されたマルチメディア配信システムの実施形態の放送局およびデータソースにユーザが接触し得る方法を示すのに有用なフローチャートである。
【図１０】
本発明のマルチメディア配信システムと組み合わせて利用する制御プログラムを示すフローチャートである。
【図１１】
デジタル無線で放送を伝送する、本発明の第３の実施形態を示すフローチャートである。
【図１】
2004510359.tif 000003
【図２】
2004510359.tif 000004
【図３】
2004510359.tif 000005
【図４】
2004510359.tif 000006
【図５】
2004510359.tif 000007
【図６】
2004510359.tif 000008
【図７】
2004510359.tif 000009
【図８】
2004510359.tif 000010
【図９】
2004510359.tif 000011
【図１０】
2004510359.tif 000012
【図１１】
2004510359.tif 000013
【国際公開パンフレット】
2004510359.tif 000014
2004510359.tif 000015
2004510359.tif 000016
2004510359.tif 000017
2004510359.tif 000018
2004510359.tif 000019
2004510359.tif 000020
2004510359.tif 000021
2004510359.tif 000022
2004510359.tif 000023
2004510359.tif 000024
2004510359.tif 000025
2004510359.tif 000026
2004510359.tif 000027
2004510359.tif 000028
2004510359.tif 000029
2004510359.tif 000030
2004510359.tif 000031
2004510359.tif 000032
2004510359.tif 000033
2004510359.tif 000034
2004510359.tif 000035
2004510359.tif 000036
2004510359.tif 000037
2004510359.tif 000038
2004510359.tif 000039
2004510359.tif 000040
2004510359.tif 000041
2004510359.tif 000042
2004510359.tif 000043
2004510359.tif 000044
2004510359.tif 000045
2004510359.tif 000046
【国際公開パンフレット（コレクトバージョン）】
2004510359.tif 000047
【国際調査報告】
2004510359.tif 000048